(57)【要約】 【課題】全ての運転域で同じ抽気系統からボイラ給水ポンプ駆動用タービンへ抽気可能なボイラ給水ポンプ駆動用タービンの駆動システムを提供する。【解決手段】本実施形態によれば、ボイラ給水ポンプ駆動用タービンの駆動システムは、高圧タービンと、中圧タービンと、低圧タービンと、復水器と、水を昇圧するためのボイラ給水ポンプと、給水から高圧蒸気を作るボイラとを備える蒸気タービンプラントに用いられる。ボイラ給水ポンプ駆動用タービンは、中圧タービンから抽気管を介して供給される蒸気を用いて、復水器からの給水を昇圧するためのボイラ給水ポンプを駆動させる。バタフライ弁は、中圧タービンから低圧タービンに蒸気を送気するクロスオーバー管に設けられ、クロスオーバー管に送気される蒸気の量を調整することにより、ボイラ給水ポンプ駆動用タービンに供給される蒸気の圧力を調整する。【選択図】図１
2019214975.tif 000002
【特許請求の範囲】
【請求項１】
高圧蒸気により作動する高圧タービンと、前記高圧タービンからの排気に基づく中圧蒸気により作動する中圧タービンと、前記中圧タービンの排気による低圧蒸気により作動する低圧タービンと、低圧タービンの排気を水に戻す復水器と、前記水を昇圧するためのボイラ給水ポンプと、給水から前記高圧蒸気を作るボイラとを備える蒸気タービンプラントに用いられ、
前記中圧タービンから抽気管を介して供給される蒸気を用いて、前記復水器からの給水を昇圧するための前記ボイラ給水ポンプを駆動させるボイラ給水ポンプ駆動用タービンと、
前記中圧タービンから前記低圧タービンに蒸気を送気するクロスオーバー管に設けられ、前記クロスオーバー管に送気される蒸気の量を調整することにより、前記ボイラ給水ポンプ駆動用タービンに供給される蒸気の圧力を調整するバタフライ弁と、
を備える、ボイラ給水ポンプ駆動用タービンの駆動システム。
【請求項２】
前記ボイラ給水ポンプ駆動用タービンは蒸気加減弁を有し、この蒸気加減弁の開度に基づき、前記バタフライ弁の開度を調整する、請求項１に記載のボイラ給水ポンプ駆動用タービンの駆動システム。
【請求項３】
前記蒸気加減弁の全開時に、前記バタフライ弁を閉じることにより、前記ボイラ給水ポンプ駆動用タービンの入口圧力を上昇させる、請求項２に記載のボイラ給水ポンプ駆動用タービンの駆動システム。
【請求項４】
前記蒸気加減弁は複数の蒸気加減弁を備え、それぞれの蒸気加減弁の開閉動作により、前記ボイラ給水ポンプ駆動用タービンへの蒸気の供給を制御するノズル締切り調速式である、請求項１乃至３のいずれか一項に記載のボイラ給水ポンプ駆動用タービンの駆動システム。
【請求項５】
定格負荷時に前記複数の蒸気加減弁が全開になるようにボイラ給水ポンプ駆動用タービンを構成するとともに前記バタフライ弁を全開し、前記定格負荷時以上の体積流量をボイラ給水ポンプ駆動用タービンに供給する場合に前記バタフライ弁を絞る、請求項４に記載のボイラ給水ポンプ駆動用タービンの駆動システム。
【請求項６】
定格負荷時に、前記復水器の真空度が所定の値以上の正常であるときは、前記複数の蒸気加減弁のうちの１つを全閉して残りを全開しつつ前記バタフライ弁を全開し、
定格負荷時に、前記復水器の真空度が前記所定の値より低下し低真空時は、前記複数の蒸気加減弁が全開になるように前記ボイラ給水ポンプ駆動用タービンを構成し、前記低真空時かつ定格負荷時以上の重量流量をボイラ給水ポンプ駆動用タービンが必要とするときには前記バタフライ弁を絞る、請求項４に記載のボイラ給水ポンプ駆動用タービンの駆動システム。
【請求項７】
前記ボイラ給水ポンプ駆動用タービンは、１つの蒸気加減弁を有し、この蒸気加減弁の開く度合いにより前記ボイラ給水ポンプ駆動用タービンへの蒸気の供給を制御する絞り調速式タービンである、請求項１乃至３のいずれか一項に記載のボイラ給水ポンプ駆動用タービンの駆動システム。
【請求項８】
定格負荷時に前記蒸気加減弁が全開になるように前記ボイラ給水ポンプ駆動用タービンを構成し、前記定格負荷時以上の重量流量をボイラ給水ポンプ駆動用タービンに供給する場合に前記バタフライ弁を絞る、請求項７に記載のボイラ給水ポンプ駆動用タービンの駆動システム。
【請求項９】
定格負荷時に、前記復水器の真空度が所定の値以上の正常であるときは、前記蒸気加減弁の開度を中間状態としつつ前記バタフライ弁を全開し、
定格負荷時に、前記復水器の真空度が所定の値より低下した低真空時は、前記蒸気加減弁が全開になるように前記ボイラ給水ポンプ駆動用タービンを構成し、前記低真空時かつ定格負荷時以上の重量流量をボイラ給水ポンプ駆動用タービンが必要とするときには前記バタフライ弁を絞る、請求項７に記載のボイラ給水ポンプ駆動用タービンの駆動システム。
【発明の詳細な説明】
【技術分野】
【０００１】
本発明の実施形態は、ボイラ給水ポンプ駆動用タービンの駆動システムに関する。
【背景技術】
【０００２】
昨今における環境問題から火力発電プラントの高効率化が進められており、熱サイクルにおける性能の最適化を図る努力がなされている。図９は、従来のボイラ給水ポンプ駆動用タービンの駆動システム１００の一例を示す図である。図９に示すように、ボイラ給水ポンプ駆動用タービンの駆動システム１００は、高圧タービン１と、中圧タービン２と、低圧タービン３と、発電機４とがタービンロータを介して接続され、ボイラ給水ポンプ駆動用タービン５と、ボイラ給水ポンプ６と、復水器７を併設して構成されている。
【０００３】
ボイラ過熱器８で発生した蒸気は主蒸気管９を通り主蒸気加減弁１０を経て高圧タービン１に供給される。高圧タービン１で仕事を行なった蒸気は低温再熱蒸気管１１を通りボイラ再熱器１２で再熱され、高温再熱蒸気管１３を通り、組合せ再熱弁１４を経て中圧タービン２に導入される。高圧タービン１、中圧タービン２で仕事をした蒸気はさらにクロスオーバー管１５を通って低圧タービン３に導入される。低圧タービン３で仕事した蒸気は復水器７により復水される。高圧タービン１、中圧タービン２、及び低圧タービン３で構成される主タービンの動力が発電機５で電力として取り出される。
【０００４】
また、中圧タービン２で仕事を行なった蒸気は中圧タービン排気より抽気管１６を通って蒸気加減弁１７を経てボイラ給水ポンプ駆動用タービン５に導入され、給水ポンプ６が駆動される。一方、主蒸気管９より分岐した主蒸気は、高圧蒸気管１８および高圧蒸気加減弁１９を経てボイラ給水ポンプ駆動用タービン５に導かれている。
【０００５】
ボイラ給水ポンプ駆動用タービン５は、タービンで仕事をした低圧の抽気蒸気を駆動用として利用することにより熱効率の向上を図っている。また、定格負荷運転でのボイラ給水ポンプ駆動用タービン５の飲み込み量の制御は蒸気加減弁１７の開閉で行われる。このため、従来のボイラ給水ポンプ駆動用タービンの駆動システムでは、プラントの運用にあわせて最大の飲み込み蒸気量における運転時に蒸気加減弁１７の開度を最大にして同一蒸気源から駆動蒸気を取得している。このとき高圧タービン１、中圧タービン２、低圧タービン３、ボイラ給水ポンプ駆動用タービン５、及びボイラ給水ポンプ６やプラント系統の経年的効率変化や季節変化が考慮され、定格負荷運転時の蒸気体積流量に対し余裕を持った構成が必要となっている。
【０００６】
この定格負荷運転時の蒸気体積流量に対する余裕分を大きくとるほど定格負荷運転時のボイラ給水ポンプ駆動用タービン５の効率が低下する。このため、定格負荷運転時の蒸気体積流量に対する余裕分をより小さく構成し、不足する体積流量を増加させる場合に、高圧蒸気加減弁１９を開いて管路１８の蒸気をボイラ給水ポンプ駆動用タービン５に導く方法も知られている。また、ボイラ給水ポンプ駆動用タービン５を作動する抽気蒸気の抽気系統を上流側にも設置し、通常の抽気蒸気のみでボイラ給水ポンプ駆動用タービン５を十分駆動できなくなったときに上流側の抽気系統から不足分をバックアップするシステムを構成する技術も知られている。
【先行技術文献】
【特許文献】
【０００７】
【特許文献１】特開昭５８−２１７７０６号公報
【発明の概要】
【発明が解決しようとする課題】
【０００８】
ところが、主タービンで仕事をしていない高圧蒸気をボイラ給水ポンプ駆動用タービン５の駆動に用いると、系統が複雑化するとともに火力発電プラントの熱効率が低下してしまう。また、駆動蒸気を通常のラインより上流側から抽気する技術は、系統の複雑化により制御が複雑となってしまう恐れがある。
【０００９】
そこで、本発明が解決しようとする課題は、全ての運転域で同じ抽気系統からボイラ給水ポンプ駆動用タービンへ抽気可能なボイラ給水ポンプ駆動用タービンの駆動システムを提供することである。
【課題を解決するための手段】
【００１０】
本実施形態によれば、ボイラ給水ポンプ駆動用タービンの駆動システムは、高圧蒸気により作動する高圧タービンと、高圧タービンからの排気に基づく中圧蒸気により作動する中圧タービンと、中圧タービンの排気による低圧蒸気により作動する低圧タービンと、低圧タービンの排気を水に戻す復水器と、水を昇圧するためのボイラ給水ポンプと、給水から高圧蒸気を作るボイラとを備える蒸気タービンプラントに用いられる。ボイラ給水ポンプ駆動用タービンは、中圧タービンから抽気管を介して供給される蒸気を用いて、復水器からの給水を昇圧するためのボイラ給水ポンプを駆動させる。バタフライ弁は、中圧タービンから低圧タービンに蒸気を送気するクロスオーバー管に設けられ、クロスオーバー管に送気される蒸気の量を調整することにより、ボイラ給水ポンプ駆動用タービンに供給される蒸気の圧力を調整する。
【発明の効果】
【００１１】
本実施形態によれば、全ての運転域で同じ抽気系統からボイラ給水ポンプ駆動用タービンへ抽気可能なボイラ給水ポンプ駆動用タービンの駆動システムを提供できる。
【図面の簡単な説明】
【００１２】
【図１】本実施形態に係るボイラ給水ポンプ駆動用タービンの駆動システムの一例を示す図。
【図２】バタフライ弁による圧力調整の特性を示す図。
【図３】バタフライ弁の開度とボイラ給水ポンプ駆動用タービンの入口圧力、軸出力、入口体積流量の関係を示す図。
【図４】蒸気加減弁とバタフライ弁の開度特性を示す図。
【図５】第２実施形態に係るボイラ給水ポンプ駆動用タービンの駆動システムの一例を示す図。
【図６】一般的なノズル締切り調速式タービンの蒸気加減弁と調速段ノズルの配置概略図。
【図７】本実施形態に係るノズル締切り調速式タービンの蒸気加減弁と調速段ノズルの配置概略図。
【図８】第３実施形態に係るボイラ給水ポンプ駆動用タービンの駆動システムの一例を示す図。
【図９】従来のボイラ給水ポンプ駆動用タービンの駆動システムの一例を示す図。
【発明を実施するための形態】
【００１３】
以下、本発明の実施形態に係るボイラ給水ポンプ駆動用タービンの駆動システムについて、図面を参照しながら詳細に説明する。なお、以下に示す実施形態は、本発明の実施形態の一例であって、本発明はこれらの実施形態に限定して解釈されるものではない。また、本実施形態で参照する図面において、同一部分又は同様な機能を有する部分には同一の符号又は類似の符号を付し、その繰り返しの説明は省略する場合がある。また、図面の寸法比率は説明の都合上実際の比率とは異なる場合や、構成の一部が図面から省略される場合がある。
【００１４】
（第１実施形態）
図１は、本実施形態に係るボイラ給水ポンプ駆動用タービンの駆動システムの一例を示す図である。図１に示すように、ボイラ給水ポンプ駆動用タービンの駆動システムは、例えば蒸気タービンプラントに用いられる。なお、図９と同一部分に同一符号を付しその詳細な説明は省略する。
【００１５】
本実施形態に係るボイラ給水ポンプ駆動用タービン５の駆動システム１００は、高圧タービン１と、中圧タービン２と、低圧タービン３と、発電機４と、ボイラ給水ポンプ駆動用タービン５と、ボイラ給水ポンプ６と、復水器７と、ボイラ過熱器８と、主蒸気管９と、主蒸気加減弁１０と、低温再熱蒸気管１１と、ボイラ再熱器１２と、高温再熱蒸気管１３と、組合せ再熱弁１４と、クロスオーバー管１５と、抽気管１６と、蒸気加減弁１７と、高圧蒸気管１８と、バタフライ弁２０と、制御部３０とを、備えて構成されている。図１では、更にクロスオーバー管１５の圧力を測定する測定計Ｐ１と、抽気管１６の圧力を測定する測定計Ｐ２と、を図示している。
【００１６】
バタフライ弁２０は、中圧タービン２から低圧側の低圧タービン３に蒸気を送気するクロスオーバー管１５に設けられ、クロスオーバー管１５に送気される蒸気の量を調整することにより、ボイラ給水ポンプ駆動用タービンに供給される蒸気の圧力を調整する。バタフライ弁２０の詳細は後述する。
【００１７】
制御部３０は、ボイラ給水ポンプ駆動用タービン５の駆動システム１００全体の駆動を制御する。図１では制御線の一部を図示している。制御部３０は、例えば測定計Ｐ１及び測定計Ｐ２の測定信号に基づき、バタフライ弁２０と蒸気加減弁１７との開度を制御する。制御部３０は、例えば、アプリケーションプログラムやこれを動作させるオペレーティングシステムなどのソフトウェアが記憶された少なくとも１つのメモリと、メモリに記憶されたソフトウェアを実行するＣＰＵ（Ｃｅｎｔｒａｌ  Ｐｒｏｃｅｓｓｉｎｇ  Ｕｎｉｔ）とを有し、メモリに記憶されたソフトウェアをＣＰＵが実行することによりボイラ過熱器８、主蒸気加減弁１０、蒸気加減弁１７、バタフライ弁２０などの駆動制御信号を生成する。
【００１８】
ここで、図２乃至図４に基づき、バタフライ弁２０による圧力調整の詳細を説明する。図２は、バタフライ弁２０による圧力調整の特性を示す図である。上側の図は主タービンの配置を示す図であり、下側の図は、タービンロータに沿った蒸気の圧力を示す図である。横軸はタービンロータに沿った位置を示し、縦軸は蒸気の圧力を示している。実線Ｌ１がバタフライ弁２０を絞った状態での圧力分布を示し、実線Ｌ２がバタフライ弁２０を全開にした状態での圧力分布を示している。
【００１９】
これから分かるように、バタフライ弁２０を絞ることにより、中圧タービン２の排気圧力は上昇し、中圧タービン２から低圧タービン３へ流れる蒸気の流量配分が変化する。また、この状態で定格出力を保つために、主蒸気管９を流れる主蒸気流量が増加される。この主蒸気管９を流れる主蒸気流量の増加に伴い高圧タービン１の出口圧力、中圧タービン２の出口圧力は高くなる。
【００２０】
図３は、バタフライ弁２０の開度とボイラ給水ポンプ駆動用タービン５の入口圧力、軸出力、体積流量の関係を示す図である。縦軸は、軸出力、蒸気の圧力、体積流量を示し、横軸はバタフライ弁２０の開度を示している。上述のとおり、バタフライ弁２０を絞ることにより、中圧タービン２の出口圧力が高くなるため、ボイラ給水ポンプ駆動用タービン５へ抽気する抽気管１６内の圧力が高くなる。このように、バタフライ弁２０の絞りが増す、すなわち全閉に近づくに従いボイラ給水ポンプ駆動用タービン５の入口圧力Ｌ３は増加する。
【００２１】
また、定格負荷を得るために、バタフライ弁２０の絞りが増加するに従い主蒸気管９を流れる主蒸気流量を増加させるので、ボイラ給水ポンプ駆動用タービン５に流れる蒸気の重量流量はバタフライ弁２０の絞りが増加するに従い増加する。これにより、バタフライ弁２０の絞りが増加するに従い、ボイラ給水ポンプ駆動用タービン５の軸出力Ｌ４が増加する。一方で、バタフライ弁２０の絞りが増加するに従い入口圧力Ｌ３が上昇するので、ボイラ給水ポンプ駆動用タービン５に流れる蒸気の体積流量Ｌ５は小さくなる。このように、バタフライ弁２０の絞りを増加させることにより、ボイラ給水ポンプ駆動用タービン５に入る蒸気の体積流量を小さくできるため、多くの蒸気重量流量を飲込むことが可能となり、ボイラ給水ポンプ駆動用タービン５の軸出力を増加させることが可能となる。
【００２２】
図４は、蒸気加減弁１７とバタフライ弁２０の開度特性を示す図である。縦軸は弁開度を示し、横軸は時間経過を示している。図４に示すように、蒸気加減弁１７の弁開度Ｌ６が全開付近になった状態でバタフライ弁１８の弁開度Ｌ７は、閉方向に向けて下降を開始する。すなわち、制御部３０は、抽気管１６に設けられた蒸気加減弁１７の開度に基づき、バタフライ弁２０の開度を調整する。より具体的には、制御部３０は、蒸気加減弁１７が全開付近になった状態でバタフライ弁２０の閉動作を開始させ、絞り度合いを順に大きくする。このように、制御部３０は、蒸気加減弁１７の全開時に、バタフライ弁２０を閉じることにより、ボイラ給水ポンプ駆動用タービンの入口圧力を上昇させる。これにより、矢印４０に示すように、バタフライ弁１８の弁開度Ｌ７の絞り度合いを大きくするに従い、ボイラ給水ポンプ駆動用タービン５への抽気圧力を高くすることが可能となる。
【００２３】
以上のように、本実施形態によればクロスオーバー管１５に設けられたバタフライ弁２０の絞りを調整することとした。これにより、全ての運転域で同じ抽気系統を用いてボイラ給水ポンプ駆動用タービン５への抽気圧力を高くすることが可能となる。このため、プラント系統の経年的効率変化や季節変化が生じても、同じ抽気系統から得られる蒸気の重量流量を増加させることが可能となり、ボイラ給水ポンプ駆動用タービン５の駆動を維持できる。
【００２４】
（第２実施形態）
ボイラ給水ポンプ駆動用タービン５Ａの具体例として本実施形態ではノズル締切り調速式タービンを図５に例示する。ノズル締切り調速式タービンは、複数の蒸気加減弁２１から２４を有し、それぞれの蒸気加減弁の開閉動作により、前記ボイラ給水ポンプ駆動用タービンへの蒸気の供給を制御する。
【００２５】
図６は、一般的なノズル締切り調速式タービンであるボイラ給水ポンプ駆動用タービン５Ａの概略の構成図である。図６に示すように、４つの蒸気加減弁２１、２２、２３、２４を図６の上下方向に移動することにより、抽気管１６から導入される蒸気のボイラ給水ポンプ駆動用タービン５Ａへの供給量を調整し負荷調整を行っている。
【００２６】
上述の通り、一般的なボイラ給水ポンプ駆動用タービン５Ａは、導入される蒸気の体積流量が増加しても同じ系統の抽気蒸気で運転できるよう、定格負荷運転時の飲込体積流量よりも大きな体積流量を取得できるように、余裕を有する容量で構成されている。このため、一般にノズル締切り調速式タービンでは、定格負荷運転時は加減弁２１、２２、２３を全開し、ノズル群２５Ａ、２５Ｂ、２５Ｃからボイラ給水ポンプ駆動用タービン５Ａに蒸気を噴射し、体積流量が増加させる必要がある場合の余裕分として、蒸気加減弁２４を閉めた状態で運用が行われている。すなわち、体積流量を定格負荷運転時よりも多く取得する必要があるときに、弁２４を開いて蒸気をより多く取得することで、ボイラ給水ポンプ駆動用タービン５Ａの運転が維持される。この蒸気加減弁２４のノズル面積２５Ｄを大きく構成すると、蒸気加減弁２１、２２、２３に対応するノズル面積２５Ａ、２５Ｂ、２５Ｃのノズル面積全体に対する割合が小さくなり、定格負荷運転時の部分噴射率が小さくなることからボイラ給水ポンプ駆動用タービン５Ａの効率が低下してしまう。
【００２７】
そこで本実施形態では、ノズル面積２５Ｄを図６の構造よりも小さく構成してノズル面積２５Ａ、２５Ｂ、２５Ｃを図６の構造よりも大きくする。ノズル面積２５Ｄを小さくしたことでボイラ給水ポンプ駆動用タービンに供給できる蒸気重量流量は減少するが、バタフライ弁２０を絞ることによりボイラ給水ポンプ駆動用タービンの入口圧力が上昇し蒸気体積流量が小さくなることから、ボイラ給水ポンプ駆動用タービンに多くの蒸気重量流量を流すことが可能となる。
【００２８】
図７は、本実施形態に係るノズル締切り調速式タービンであるボイラ給水ポンプ駆動用タービン５Ａの概略の構成図である。図７に示すように、蒸気加減弁２４に対応するノズル面積２５Ｄは、一般的なノズル締切り調速式タービン５Ａ（図６）よりも小さく構成されている。このため、蒸気加減弁２１、２２、２３に対応するノズル面積２５Ａ、２５Ｂ、２５Ｃのノズル面積全体に対する割合を一般的なボイラ給水ポンプ駆動用タービン５Ａ（図６）よりも増加させることが可能となる。
【００２９】
図５に示すように、本実施形態に係るボイラ給水ポンプ駆動用タービンの駆動システム１００では、バタフライ弁２０の絞り度合いでボイラ給水ポンプ駆動用タービン５Ａへの抽気蒸気を調整することが可能である。このため、蒸気加減弁２４に対応するノズル面積２５Ｄを小さく構成しても、ボイラ給水ポンプ駆動用タービンが定格負荷運転時よりも多くの体積流量を飲込む必要があるときに、バタフライ弁２０の絞り度合いを増加させることで、体積流量を小さくして重量流量を多くすることが可能となる。たとえば復水器の真空度が所定の値以上の正常な状態において定格負荷を取る運用時に複数の蒸気加減弁２１、２２、２３、２４の一つを閉じた状態で運転するようにボイラ給水ポンプ駆動用タービン５Ａを設計する。この状態から例えば夏場のように、復水器の真空度が所定の値より低下する「低真空時」に定格出力を取る運用時に制御部３０により全ての蒸気加減弁２１、２２、２３、２４を全開し、夏場の低真空時以上の重量流量をボイラ給水ポンプ駆動用タービン５Ａに供給する場合にバタフライ弁２０を絞る制御を行う。これにより、蒸気加減弁２４のノズル面積２５Ｄを一般的なノズル締切り調速式タービンよりも小さく構成しても、一般的なボイラ給水ポンプ駆動用タービン５Ａと同等以上に軸出力を増加させることが可能となる。
【００３０】
また、余裕容量を無くしてボイラ給水ポンプ駆動用タービン５Ａを構成してもよい。例えば、定格負荷時に複数の蒸気加減弁２１、２２、２３、２４が全開になるようにボイラ給水ポンプ駆動用タービン５Ａを構成する。そして、制御部３０は、定格負荷時以上の重量流量をボイラ給水ポンプ駆動用タービン５Ａに供給する場合に、バタフライ弁２０を絞る制御を行う。
【００３１】
以上のように、本実施形態によればクロスオーバー管１５に設けられたバタフライ弁２０の絞りを調整することとした。これにより、抽気系統を変更することなくボイラ給水ポンプ駆動用タービン５への抽気圧力を高くすることが可能となるので、定格負荷運転時の蒸気体積流量に対する余裕容量を低減させることができる。これにより、定格負荷運転時の部分噴射率をより大きく構成でき、プラント熱効率を向上させることができる。
（第３実施形態）
ボイラ給水ポンプ駆動用タービンの具体例として本実施形態では絞り調速式タービンを図８に例示する。
【００３２】
絞り調速式タービンは、１つの蒸気加減弁２６を有し、蒸気加減弁２６の開度により、ボイラ給水ポンプ駆動用タービンへの蒸気の供給を制御してボイラ給水ポンプ駆動用タービン５Ｂの出力を調整する。定格負荷時に蒸気加減弁２６が全開になるようにボイラ給水ポンプ駆動用タービン５Ｂを構成し、制御部３０は、定格負荷時以上の重量流量をボイラ給水ポンプ駆動用タービン５Ｂに供給する場合にバタフライ弁２０を絞る制御を行う。
【００３３】
また、変形例として、定格負荷時に、復水器の真空度が所定の値以上の正常であるときは、蒸気加減弁２６の開度を中間状態とし、バタフライ弁２０を全開し、定格負荷時に、復水器７の真空度が所定の値より低下したときは、蒸気加減弁２６が全開になるようにボイラ給水ポンプ駆動用タービン５Ｂを構成し、定格負荷時以上の重量流量をボイラ給水ポンプ駆動用タービン５Ｂが必要とするときにはバタフライ弁２０を絞るように制御してもよい。これにより低真空時に定格負荷を取る運転時以上の重量流量をボイラ給水ポンプ駆動用タービン５Ｂが必要とする場合に、バタフライ弁２０を絞る制御を行うことができる。
【００３４】
以上のように、本実施形態によれば、定格負荷運転時もしくは夏場の低真空時に定格負荷を取る運転時にボイラ給水ポンプ駆動用タービン５Ｂの蒸気加減弁２６が全開になるように構成し、それ以上の体積流量を取得する必要がある場合に、バタフライ弁２０を絞って運転させることとした。これにより、定格負荷運転時の蒸気加減弁２６の絞り量を減らすることが可能となり、プラント熱効率を向上させることができる。
【００３５】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【符号の説明】
【００３６】
２：中圧タービン、３：低圧タービン、５Ａ、５Ｂ：ボイラ給水ポンプ駆動用タービン、６：ボイラ給水ポンプ、８：ボイラ過熱器、１５：クロスオーバー管、１６：抽気管、１７：蒸気加減弁、２０：バタフライ弁、２１〜２６：蒸気加減弁、１００：ボイラ給水ポンプ駆動用タービンの駆動システム
【図１】
2019214975.tif 000003
【図２】
2019214975.tif 000004
【図３】
2019214975.tif 000005
【図４】
2019214975.tif 000006
【図５】
2019214975.tif 000007
【図６】
2019214975.tif 000008
【図７】
2019214975.tif 000009
【図８】
2019214975.tif 000010
【図９】
2019214975.tif 000011